(57)【特許請求の範囲】
【請求項１】
手を洗浄し乾燥する洗面器の上部に、空気を噴出する噴出ノズル孔を有するノズル部と、前記ノズル部に人を検知する風噴出用人検知センサーと、前記ノズル部を洗面器上部に固定する洗面ノズル固定部を備え、前記洗面器の下部に、前記噴出ノズル孔から噴出する空気を送出するファンモーターを有する送風部を備え、前記送風部と前記ノズル部を連通させる送風ダクトを設け、前記ノズル部を前記洗面ノズル固定部から脱着自在とした乾燥装置であって、前記乾燥装置の運転動作入り切りを行える運転操作部を非保持型スイッチでノズル部外郭の２面に設け、ノズル部を手持ちにて操作する場合は２面の運転操作部が共に入り時のみ運転動作することを特徴とする乾燥装置。
【請求項２】
送風ダクトは、ノズル部を洗面ノズル固定部に固定する時に、洗面器下の洗面台内に収納できることを特徴とする請求項１記載の乾燥装置。
【請求項３】
ノズル部内に、空気を加熱して温風にするヒーターユニットを設けたことを特徴とする請求項１記載の乾燥装置。
【請求項４】
ヒーターユニットを、ＰＴＣヒーターとすることを特徴とした請求項３記載の乾燥装置。
【請求項５】
ノズル部に、乾燥装置の運転動作入り切りを行える運転操作部を設けたことを特徴とする請求項１〜３のいずれかに記載の乾燥装置。
【請求項６】
ノズル部に、ファンモーターの回転数を制御する風量操作部を設けたことを特徴とする請求項１〜３のいずれかに記載の乾燥装置。
【請求項７】
ノズル部に、ヒーターユニットの発熱量を制御する温風操作部を設けたことを特徴とする請求項３または４記載の乾燥装置。
【請求項８】
ノズル部内に水検知センサーを設け、水検知センサー検知時ヒーターユニット、ファンモーターへの通電を停止することを特徴とする請求項３〜７のいずれかに記載の乾燥装置。
【請求項９】
ノズル部に、噴出ノズル孔とヒーターユニットの間にアース帯と漏電ブレーカーとを設けたことを特徴とする請求項３〜８のいずれかに記載の乾燥装置。
【発明の詳細な説明】
【技術分野】
【０００１】
本発明は、洗面所やトイレ等で手を洗った場合、濡れた手を乾燥させる洗面台に設けた乾燥装置に関する。
【背景技術】
【０００２】
従来、この種の乾燥装置としては、手洗器を組み込んだ洗面台上面部に温風吹き出しノズルを設置し、温風吹き出しノズルと洗面台下方の空間に配置したファンモータとを備えた温風発生機とダクトで連結したものが知られている（例えば、特許文献１、特許文献２参照）。
【０００３】
図１４に基づいてその具体例を説明する。
【０００４】
図１４に示すように、２００は自動手乾燥装置で、洗面台等の取付基体２０１の上側において、ケーシング２０２の前面に石鹸液の吐出口２０３と、温水の吐水口２０４とが設けられており、人体検知センサー２０５、２０６による手感知に基づいて吐出口２０３から石鹸液を自動的に吐出し、また吐水口２０４から温水を吐水するようになっている。２０７はこの自動手乾燥装置２００に備え付けられた温風乾燥する洗面一体型の手乾燥装置であり、温風の吹出口２０８を備えている。この吹出口２０８は吐出口２０３、吐水口２０４等と共に取付基体２０１の上側においてケーシング２０２の前面に設けられており、人体検知センサーによる手感知センサー２０９による手感知の基づいて吹出口２０８から自動的に温風を吹き出し、濡れた手を乾燥させる。手乾燥装置２０７は、また、取付基体２０１の下側において送風機２１０およびヒーター２１１を備えた乾燥機本体２１２を有しており、送風機２１０にて送り出した空気はヒーター２１１の加熱作用で温風となして、これを送風管２１３を通じて吹出口２０８へと送るようになっている。
【特許文献１】実用新案登録第２５１９８８４号公報
【特許文献２】特開２００１−２０３３８号公報
【発明の開示】
【発明が解決しようとする課題】
【０００５】
このような従来の手乾燥装置では、手洗器を組み込んだ洗面台上面部に温風を吹き出すノズルを固定設置するため、手を乾燥させる以外の機能を有していないという課題があり、手乾燥以外の機能展開が要求されている。
【０００６】
また、熱源であるヒーターが吹出口から離れたところにあり、ダクトで温風を送風しているため、送風途中で長い待機時間があり、熱ロスが大きく吹出口温度が下がり乾燥時間の短縮化が図れなくなるが、それを解決するために、ヒーターの容量を大きくすると途中の熱ロスをカバーできるが、ヒーターのエネルギーの有効利用からみると好ましくないという課題があり、手乾燥開始と同時に手に温風を感じ、エネルギーロスを少なくすることが要求されている。
【０００７】
本発明は、このような従来の課題を解決するものであり、手乾燥機能以外に髪乾燥、洗面台清掃乾燥などをすることができ、また、手乾燥開始と同時に手に温風を感じ、エネルギーロスの少ない乾燥装置を提供することを目的としている。
【課題を解決するための手段】
【０００８】
本発明の乾燥装置は上記目的を達成するために、手を洗浄し乾燥する洗面器の上部に、空気を噴出する噴出ノズル孔を有するノズル部と、前記ノズル部に人を検知する風噴出用人検知センサーと、前記ノズル部を洗面器上部に固定する洗面ノズル固定部を備え、前記洗面器の下部に、前記噴出ノズル孔から噴出する空気を送出するファンモーターを有する送風部を備え、前記送風部と前記ノズル部を連通させる送風ダクトを設け、前記ノズル部を前記洗面ノズル固定部から脱着自在とした乾燥装置であって、前記乾燥装置の運転動作入り切りを行える運転操作部を非保持型スイッチでノズル部外郭の２面に設け、ノズル部を手持ちにて操作する場合は２面の運転操作部が共に入り時のみ運転動作したものである。
【０００９】
この手段により、ノズル部を洗面台上部固定時は手乾燥ができ、ノズル部を移動して使用するときは手乾燥以外の髪乾燥、洗面台清掃乾燥などをすることができ、ノズル部を固定していない時に誤って運転操作部の入りによる誤動作を防止することができるより安全な乾燥装置が得られる。
【００１０】
また、他の手段は、送風ダクトは、ノズル部を洗面ノズル固定部に固定する時に、洗面器下の洗面台内に収納できるようにしたものである。
【００１１】
この手段により、ノズル部を移動して使用した後の洗面台上面部へのノズル部の固定が容易にできる乾燥装置が得られる。
【００１２】
また、他の手段は、ノズル部内に、空気を加熱して温風にするヒーターユニットを設けたようにしたものである。
【００１３】
この手段により、送風ダクトでの熱ロスがなくすことができ、手乾燥開始と同時に手に温風を感じ、エネルギーロスの少ない乾燥装置が得られる。
【００１４】
また、他の手段は、ヒーターユニットを、ＰＴＣヒーターとするようにしたものである。
【００１５】
この手段により、ヒーター部の熱暴走を抑えることができるより安全な乾燥装置が得られる。
【００１６】
また、他の手段は、ノズル部に、乾燥装置の運転動作入り切りを行える運転操作部を設けたようにしたものである。
【００１７】
この手段により、ノズル部を移動して使用するときに手元で任意に運転入り切りができる乾燥装置が得られる。
【００１８】
また、他の手段は、ノズル部に、ファンモーターの回転数を制御する風量操作部を設けたようにしたものである。
【００１９】
この手段により、ノズル部を移動して使用するときに手元で任意に風量調整することができる乾燥装置が得られる。
【００２０】
また、他の手段は、ノズル部に、ヒーターユニットの発熱量を制御する温風操作部を設けたようにしたものである。
【００２１】
この手段により、ノズル部を移動して使用するときに手元で任意に温風調整することができる乾燥装置が得られる。
【００２６】
また、他の手段は、ノズル部内に水検知センサーを設け、水検知センサー検知時ヒーターユニット、ファンモーターへの通電を停止するようにしたものである。
【００２７】
この手段により、噴出ノズル孔から侵入した水滴による漏電を防ぐことができるより安全な乾燥装置が得られる。
【００２８】
また、他の手段は、ノズル部に、噴出ノズル孔とヒーターユニットの間にアース帯と漏電ブレーカーとを設けたようにしたものである。
【００２９】
この手段により、ノズル部の水没などによる漏電状態を検知し感電を防止することができるより安全な乾燥装置が得られる。
【発明の効果】
【００３０】
本発明によれば、手を洗浄し乾燥する洗面器の上部に、空気を噴出する噴出ノズル孔を有するノズル部と、前記ノズル部に人を検知する風噴出用人検知センサーと、前記ノズル部を洗面器上部に固定する洗面ノズル固定部を備え、前記洗面器の下部に、前記噴出ノズル孔から噴出する空気を送出するファンモーターを有する送風部を備え、前記送風部と前記ノズル部を連通させる送風ダクトを設けた乾燥装置であって、前記ノズル部を前記洗面ノズル固定部から脱着自在としたことにより、手乾燥以外の髪乾燥、洗面台乾燥などが行えるという効果のある乾燥装置を提供できる。
【００３１】
また、ノズル部内に、空気を加熱して温風にするヒーターユニットを設けたことにより、手乾燥開始と同時に手に温風を感じ、エネルギーロスを少なくすることができるという効果のある乾燥装置を提供できる。
【発明を実施するための最良の形態】
【００３２】
本発明の請求項１記載の乾燥装置は、手を洗浄し乾燥する洗面器の上部に、空気を噴出する噴出ノズル孔を有するノズル部と、前記ノズル部に人を検知する風噴出用人検知センサーと、前記ノズル部を洗面器上部に固定する洗面ノズル固定部を備え、前記洗面器の下部に、前記噴出ノズル孔から噴出する空気を送出するファンモーターを有する送風部を備え、前記送風部と前記ノズル部を連通させる送風ダクトを設け、前記ノズル部を前記洗面ノズル固定部から脱着自在とした乾燥装置であって、前記乾燥装置の運転動作入り切りを行える運転操作部を非保持型スイッチでノズル部外郭の２面に設け、ノズル部を手持ちにて操作する場合は２面の運転操作部が共に入り時のみ運転動作することを特徴としたものであり、洗面器の上部にノズル部を固定することにより手乾燥が行える乾燥装置として使用でき、洗面台の上部からノズル部を脱着して使用することにより手乾燥以外の髪乾燥、洗面台清掃乾燥などが行うことができるとともに、洗面台上部面などにノズル部を置いた場合に誤って運転操作部が押されノズル部が送風の勢いで暴れることがないように、運転操作部をノズル部外郭の２面に設けることで誤押しを抑制することができるという作用を有する。
【００３３】
また、送風ダクトは、ノズル部を洗面ノズル固定部に固定する時に、洗面器下の洗面台内に収納できることを特徴としたものであり、ノズル部を洗面ノズル部固定部に装着時、送風ダクトが洗面台内に収納する構造となっており、送風ダクトを収納、格納する手間がなくノズル部を洗面器上部の洗面ノズル固定部に装着することができるという作用を有する。
【００３４】
また、ノズル部内に、空気を加熱して温風にするヒーターユニットを設けたことを特徴としたものであり、噴出ノズル近傍にヒーターユニットが配置されているため、運転と同時に噴出ノズルから温風を噴出することが可能となり、手乾燥時などの初期冷風の不快感低減をし、更に水滴の蒸発を運転初期から温風により促進して乾燥時間の短縮を図ることができるという作用を有する。
【００３５】
また、ヒーターユニットを、ＰＴＣヒーターとすることを特徴としたものであり、送風ダクトとノズル部が外れるなどでヒーターユニットに送風が停止された場合においてもＰＴＣヒーターがある一定以上の温度には上がりにくい特性で加熱暴走がないヒーターであるため、ノズル外郭の異常発熱、ノズル部内部の熱変形などの不安全を抑制することができるという作用を有する。
【００３６】
また、ノズル部に、乾燥装置の運転動作入り切りを行える運転操作部を設けたことを特徴としたものであり、ノズル部を手持ちで髪乾燥・洗面台清掃などを行う場合に手元のノズル部で運転操作をすることができるという作用を有する。
【００３７】
また、ノズル部に、ファンモーターの回転数を制御する風量操作部を設けたことを特徴としたものであり、ノズル部を手持ちで髪乾燥・洗面台清掃などを行う場合に手元のノズル部で風量調整することができるという作用を有する。
【００３８】
また、ノズル部に、ヒーターユニットの発熱量を制御する温風操作部を設けたことを特徴としたものであり、ノズル部を手持ちで髪乾燥・洗面台清掃などを行う場合に手元のノズル部で温風調整することができるという作用を有する。
【００４１】
また、ノズル部内に水検知センサーを設け、水検知センサー検知時ヒーターユニット、ファンモーターへの通電を停止することを特徴としたものであり、水滴などが噴出ノズル孔から侵入した場合にヒーターユニット、モーターユニットの通電を停止させ、使用者の感電からの不安全を回避することができるという作用を有する。
【００４２】
また、ノズル部に、噴出ノズル孔とヒーターユニットの間にアース帯と漏電ブレーカーとを設けたことを特徴としたものであり、水滴などが噴出ノズル孔から侵入した場合やノズル部が水没した場合に、アース帯により確実に漏電ブレーカーを動作させると共に、漏電電流の多くをアース帯で流すことができ使用者へ流れる漏電電流を抑制することができるという作用を有する。
【００４３】
以下、本発明の実施の形態について、図面を参照しながら説明する。
【００４４】
（実施の形態１）
図１および図２に示すように、床面に置かれた箱状の洗面台１外装の上部には、ボウル状の手洗いスペース２を有し底面に水を排水する排水口３を有する洗面器４を設け、洗面器４の奥上部５には吐水口６と、空気を噴出する噴出ノズル孔７を有するノズル部８を固定する洗面ノズル固定部９を備え、洗面ノズル固定部９にてノズル部８は洗面台１の奥上部５に固定されている。吐水口６の近傍には吐水用人検知センサー１０、ノズル部８の外装面には風噴出用人検知センサー１１が配置されている。洗面台１内の底面には、高速風を発生させるファンモーター１２を有する送風部１３を設けている。送風部１３と、洗面器４の奥上部５に設置したノズル部８との間は、送風ダクト１４で接続している。送風ダクト１４には、ダクト収納ウエイト１５が取り付けてある。
【００４５】
図３は乾燥装置のノズル部８の側面構成図である。ノズル部８外郭は、下部に突出した筒状の送風ダクト接続部１６と空気を噴出する噴出ノズル孔７を有し、ノズル部８内部は、送風ダクト接続部１６と噴出ノズル孔７間にノズル風路１７があり、ノズル風路１７には、ヒーターユニット１８が空気の流れ方向に対して直角に設けられている。
【００４６】
また、ヒーターユニット１８は、ＰＴＣヒーターを使用したものである。
【００４７】
上記構成により、手洗い後に手乾燥を行う場合、ノズル部８は洗面ノズル固定部９に固定した状態で使用する。吐水口６の前方に手を差し出すと、吐水用人検知センサー１０が検知して吐水口６から自動的に水が吐水し、手などを洗うことができる。その後、ノズル部８の前方に手を差し出すと、風噴出用人検知センサー１１が検知して噴出ノズル孔７から自動的に高速温風が噴出し、手に付着した水滴を吹き飛ばすし、濡れた手を温風で乾燥させる。このとき、高速風で吹き飛ばされた水滴は、洗面器４に受けられて排水口３から外部に排水される。
【００４８】
また、髪乾燥を行う場合、ノズル部８は図４および図５に示すように、洗面ノズル固定部９から脱着して使用する。ノズル部８を洗面ノズル固定部９の上方に持ち上げ、ノズル部８を手持ちし、乾燥させたい部分にノズル部８を近づけることにより、風噴出用人検知センサー１１が検知して噴出ノズル孔７から自動的に高速温風が噴出し、濡れた髪を高速温風で乾燥させる。
【００４９】
また、ダクト収納ウエイト１５により送風ダクト１４は洗面台１内へ容易に入っていくため、ノズル部８を洗面ノズル固定部９に収納することが容易に行うことができる。
【００５０】
また、このダクト収納ウエイト１５は、ノズル部を引っ張り出しすぎた場合に洗面台１内の上部に当たりストッパーの役割を担い、送風ダクト１４を接続している送風部１３に負担をかけないようになっている。
【００５１】
高速温風は、送風部１３内のファンモーター１２で送風ダクト１４を経由してノズル部８に空気が送風され、送風された空気がノズル部８内のヒーターユニット１８を通過することで暖められ、噴出ノズル孔７から高速温風として噴出される。ヒーターユニット１８には、発熱体であるニクロム線ヒーター、セラミックヒーター、ＰＴＣヒーターなどを使用できるが、低温時には低抵抗で発熱量が多く、高温時には高抵抗で発熱量を低減するＰＴＣヒーターをヒーターユニット１８に使用することにより、ノズル部８または送風部１３と送風ダクト１４が外れるなどでヒーターユニット１８に送風が停止された場合においても、ノズル部８外郭の異常発熱、ノズル部８内部の熱変形の不安全を抑制することができる。
【００５２】
（実施の形態２）
実施の形態２は実施の形態１に対して図６および図７に示すように、ノズル部８の手持ち部分に同装置の運転動作入り切りを行える運転操作部１９を設け、ノズル部８の手持ち部分の前方側にファンモーター１２の回転数を調整する風量操作部２０、及び、ヒーターユニット１８の発熱量を調整する温風操作部２１を設け、図８に示すように、ノズル壁掛け留め具２２にノズル部８を固定した場合に連続運転と停止を選択する壁運転切り替え操作部２３を設け、また、洗面ノズル固定部９、または、ノズル壁掛け留め具２２にノズル部８を固定したことを示すノズル固定スイッチ２４を洗面ノズル固定部９またはノズル壁掛け留め具２２に面するノズル部８に設けたものである。
【００５３】
これにより、ノズル部８を手持ちで使用する場合に、手元で非保持型スイッチの運転操作部１９で運転の入り切りとお好みの風量・温風の調整を風量操作部２０、温風操作部２１で行うことができる。
【００５４】
ノズル壁掛け留め具２２にノズル部８を固定し、保持型スイッチの壁運転切り替え操作部２３で連続運転を選択することで、髪乾燥は、ノズル部８の噴出ノズル孔７からの高速温風を髪に受けながら、両手にて髪乾燥補助動作をすることができる。
【００５５】
また、洗面ノズル固定部９にノズル部８を固定するとノズル固定スイッチ２４が押されＯＮする。これにより、図１０に示すように、運転操作部１９、ノズル固定スイッチ２４、壁運転切り替え操作部２３及び風噴出用人検知センサー１１をもって、機器の動作を決定させることができ、ノズル部８を洗面ノズル固定部９に固定した場合、自動的に風噴出用人検知センサー１１で検知した場合に機器が動作するモードになり、ノズル部８を手持ちにした場合、運転操作部１９の入り切りにより機器が動作するモードになり、ノズル部８をノズル壁掛け留め具２２に固定した場合、壁運転切り替え操作部２３の連続運転・停止により機器が動作するモードに切り替えることができる。
【００５６】
なお、運転操作部１９を保持型スイッチで構成する場合、壁運転切り替え操作部２３が運転操作部１９を兼用させ、運転操作部１９をなくし、操作を簡便にすることもできる。壁運転切り替え操作部２３が運転操作部１９を兼用させた時のノズル部８の正面図を図９、各操作部ＯＮ・ＯＦＦと機器動作一覧を図１１に示す。
【００５７】
（実施の形態３）
図１２に示すように、実施の形態３は実施の形態２に対して図１２に示すように、ノズル部８の手持ち部分の２面に同装置の運転動作入り切りを行える運転操作部２５を各１つずつ設けたものである。
【００５８】
これにより、運転操作部２５が手持ちで使用していたノズル部８を一時的に洗面台１の上部などに置いた場合、誤って運転操作部２５が押されノズル部８が高速風の勢いで暴れることが想定されるが、上記のようにノズル部８の手持ち部分の２面に同装置の運転動作入り切りを行える運転操作部２５を非保持型スイッチで各１つずつ設けることにより、誤押しを抑制することができる。
【００５９】
（実施の形態４）
図１３に示すように、実施の形態４は実施の形態１に対して図１３に示すように、ノズル部８内のヒーターユニット１８と噴出ノズル孔７間の下側に水検知センサー２６を設け、ノズル部８内のヒーターユニット１８と噴出ノズル孔７間に金属製のアース帯２７を設け、アース帯２７は、ノズル部８の電源側に設けた漏電ブレーカー２８をアース側に電気的に接続したものである。
【００６０】
これにより、噴出ノズル孔７から水滴が侵入し水検知センサー２６にて検知すると、漏電、感電に至らぬように同機器のヒーターユニット１８、ファンモーター１２への通電を停止させることができる。
【００６１】
また、誤って手持ちで使用していたノズル部８を水の溜まった洗面器４に付けて噴出ノズル孔７から多量の水が浸入するとヒーターユニット１８などの充電部とアース帯２７が水により通電し、漏電ブレーカー２８が動作し、同機器の電源を遮断する。
【産業上の利用可能性】
【００６２】
本発明にかかる乾燥装置は、洗面台上面部に温風を吹き出すノズルを設ける構造によって、共同浴場、散髪屋やペットを洗浄するペットショップ等に設けられる乾燥装置にも適応できる。
【図面の簡単な説明】
【００６３】
【図１】本発明の実施の形態１のノズル部を収納した乾燥装置の側面構成図
【図２】同ノズル部を収納した乾燥装置の正面構成図
【図３】同ノズル部の側面構成図
【図４】同ノズル部を持ち上げた乾燥装置の側面構成図
【図５】同ノズル部を持ち上げた乾燥装置の正面構成図
【図６】本発明の実施の形態２のノズル部の正面図
【図７】同ノズル部の側面構成図
【図８】同ノズル部を壁に固定した乾燥装置の側面構成図
【図９】同ノズル部の正面図
【図１０】同各操作部ＯＮ・ＯＦＦと乾燥装置の動作一覧を示す図
【図１１】同各操作部ＯＮ・ＯＦＦと乾燥装置の別形態での動作一覧を示す図
【図１２】本発明の実施の形態３のノズル部の正面図
【図１３】本発明の実施の形態４のノズル部の側面構成図
【図１４】従来の乾燥装置の正面構成図
【符号の説明】
【００６４】
１    洗面台
４    洗面器
７    噴出ノズル孔
８    ノズル部
９    洗面ノズル固定部
１１  風噴出用人検知センサー
１２  ファンモーター
１３  送風部
１４  送風ダクト
１８  ヒーターユニット
１９  運転操作部
２０  風量操作部
２１  温風操作部
２２  ノズル壁掛け留め具
２５  運転操作部
２６  水検知センサー
２７  アース帯
２８  漏電ブレーカー
【図１】
0004600295.tif 000002
【図２】
0004600295.tif 000003
【図３】
0004600295.tif 000004
【図４】
0004600295.tif 000005
【図５】
0004600295.tif 000006
【図６】
0004600295.tif 000007
【図７】
0004600295.tif 000008
【図８】
0004600295.tif 000009
【図９】
0004600295.tif 000010
【図１０】
0004600295.tif 000011
【図１１】
0004600295.tif 000012
【図１２】
0004600295.tif 000013
【図１３】
0004600295.tif 000014
【図１４】
0004600295.tif 000015